(57)【要約】容器は、第１容器部（３９）と、第１容器部（３９）と接合され第１容器部（３９）との間に密閉キャビティ（５１）を画定する第２容器部（４２）とを含む。密閉キャビティ内には冷却剤が入れられる。容器は、密閉キャビティ（５１）内の圧力を制限すべく機能し得る圧力除去装置（５８）を更に含む。
2005524046.tif 000002
【特許請求の範囲】
【請求項１】
第１容器部と、
前記第１容器部と接合され前記第１容器部との間に密閉キャビティを画定する第２容器部と、
前記キャビティに入れられる冷却剤と、
前記密閉キャビティ内の圧力を制限すべく機能し得る圧力除去装置と、
を含む、
容器。
【請求項２】
前記圧力除去装置は薄肉の壁部を含む請求項１に記載の容器。
【請求項３】
前記圧力除去装置は弁を含む請求項１に記載の容器。
【請求項４】
前記圧力除去装置は前記両容器部の一方に設けられる開口部を含む請求項１に記載の容器。
【請求項５】
前記開口部にプラグが設けられる請求項４に記載の容器。
【請求項６】
前記圧力除去装置は前記第１容器部と前記第２容器部とを接合する接合部を含み、前記接合部は前記密閉キャビティ内の高圧化に伴って破断して前記キャビティ内の圧力を制限する請求項１に記載の容器。
【請求項７】
前記接合部は、第１の圧力で破断する第１結合部と、前記第１の圧力より大きい第２の圧力で破断する第２結合部とを含む請求項６に記載の容器。
【請求項８】
前記圧力除去装置は前記第１容器部と前記第２容器部とを接合する接合部を含み、前記接合部は前記密閉キャビティ内の高温化に伴って破断して前記キャビティ内の圧力を制限する請求項１に記載の容器。
【請求項９】
前記高温は第１の高温を含み、前記接合部は前記第１の高温で破断する第１結合部を含み、前記接合部は、前記第１の高温より高い第２の高温で破断し得る第２結合部を更に含む請求項８に記載の容器。
【請求項１０】
前記冷却剤は架橋ゲルを含む請求項１に記載の容器。
【請求項１１】
前記ゲルはカルボキシメチルセルロースナトリウムを含む請求項１０に記載の容器。
【請求項１２】
前記ゲルは保存料を含む請求項１０に記載の容器。
【請求項１３】
前記容器は室温に置かれ、また前記容器はその中に入れられた品物を一定時間に亘り室温より低い温度範囲に維持する請求項１に記載の容器。
【請求項１４】
前記温度範囲は約１０℃〜約１５．５℃であり、前記一定時間は約４時間〜約６時間である請求項１３に記載の容器。
【請求項１５】
第１容器部と、
前記第１容器部と接合され前記第１容器部との間に密閉キャビティを画定する第２容器部と、
前記キャビティに入れられる冷却剤と、
前記第１容器部と前記第２容器部とを接合し、前記キャビティ内の圧力を制限すべく機能し得る接合部と、
を含む、
容器。
【請求項１６】
前記接合部は、第１の圧力で破断して前記キャビティ内の圧力を制限する第１結合部と、前記第１の圧力より大きい第２の圧力で破断する第２結合部とを含む請求項１５に記載の容器。
【請求項１７】
前記接合部は高温下で破断する請求項１５に記載の容器。
【請求項１８】
破断は高温に起因する機械的応力により発生する請求項１７に記載の容器。
【請求項１９】
前記機械的応力は前記接合部のクラックの発生を含む請求項１８に記載の容器。
【請求項２０】
破断は前記高温に起因する前記接合部の溶解により発生する請求項１７に記載の容器。
【請求項２１】
前記接合部は、前記接合部が破断すると前記キャビティに対して露出される開口部の周囲に設けられる請求項１５に記載の容器。
【請求項２２】
前記冷却剤は架橋ゲルを含む請求項１５に記載の容器。
【請求項２３】
前記ゲルはカルボキシメチルセルロースナトリウムを含む請求項２２に記載の容器。
【請求項２４】
前記ゲルは保存料を含む請求項２２に記載の容器。
【請求項２５】
前記容器は室温に置かれ、また前記容器はその中に入れられた品物を一定時間に亘り室温より低い温度範囲に維持する請求項１５に記載の容器。
【請求項２６】
前記温度範囲は約１０℃〜約１５．５℃であり、前記一定時間は約４時間〜約６時間である請求項２５に記載の容器。
【請求項２７】
前記第１容器部は、基部と第１のリムとを含む第１の壁を更に含み、前記第２容器部は第２のリムを含む第２の壁を含み、前記第２のリムは前記第１のリムに接合される請求項１５に記載の容器。
【請求項２８】
前記冷却剤は架橋ゲルを含む請求項２７に記載の容器。
【請求項２９】
前記第２の壁は、前記基部に接合された、第１の高圧下で破断し得る第１の隆起部と、前記基部に接合された、前記第１の高圧より大きい第２の高圧下で破断し得る第２の隆起部と、を更に含む請求項２８に記載の容器。
【請求項３０】
第１の壁、基部、及び第１のリムを備えた第１容器部と、
第２の壁及び第２のリムを備えた第２容器部であって、前記第２のリムは前記第１のリムと接合され両容器部間にキャビティを画定する第２の容器部と、
前記キャビティに入れられる架橋ゲルと、
前記第２の壁と一体に形成される第１隆起部であって、前記第２の壁を基部に接合し、第１の高圧下で破断し得る第１隆起部と、
前記第２の壁と一体に形成される第２隆起部であって、前記第２の壁を基部に接合し、前記第１の高圧より大きい第２の高圧下で破断し得る第２隆起部と、
を含む、
容器。
【請求項３１】
前記ゲルはカルボキシメチルセルロースナトリウムを含む請求項３２に記載の容器。
【請求項３２】
前記ゲルは保存料を含む請求項３２に記載の容器。
【請求項３３】
前記容器は室温に置かれ、また前記容器はその中に入れられた品物を一定時間に亘り室温より低い温度範囲に維持する請求項３２に記載の容器。
【請求項３４】
前記温度範囲は約１０℃〜約１５．５℃であり、前記一定時間は約４時間〜約６時間である請求項３６に記載の容器。
【発明の詳細な説明】
【技術分野】
【０００１】
本発明は容器に関し、より詳しくは冷却剤と圧力除去装置とを備えた冷却容器に関する。
【背景技術】
【０００２】
冷却容器は、各種製品を入れ、入れた製品を周囲温度よりも低い温度に長時間保つために使用される。冷却容器の一例が米国特許第2,526,165号（E. L. Smith）に開示される。同特許は、内側のボウルと、該内側のボウルを囲むように配置される外側のボウルとを備え、両ボウル間は密閉されて間にチャンバが画定される容器を開示している（図６参照）。チャンバには水等の適当な冷却液が入っている。使用者は、冷却液が凍結するに足る時間、容器を家庭の冷凍庫に入れる。その後容器を冷凍庫から取り出し、その中に痛み易い食品等を入れることができる。冷却液により、容器内の食品は比較的長時間に亘り室温より低い温度に維持される。
【０００３】
キャビティ（空洞）に冷却剤や冷凍剤を入れて使用する従来の容器には、凍結の際の冷却剤の膨張を考慮してエアスペースを設けているものもある。冷凍剤の膨張を可能とし、容器の破断を防止している。冷却容器のこのような破断を防止する別の対策が米国特許第4,485,636号（Hilado）に開示される。同特許では、キャビティの底が弾力性のある隔壁で構成され、この隔壁が冷凍剤の膨張に応じて収縮することで冷凍剤の膨張を可能ならしめる。隔壁の収縮によりキャビティ容積が増大し、冷凍剤の膨張に起因する容器の壁の破断を防止する。
【特許文献１】米国特許第2,526,165号
【特許文献２】米国特許第4,485,636号
【発明の開示】
【発明が解決しようとする課題】
【０００４】
従来、凍結時の冷凍液の膨張に起因するキャビティ内の高圧化に対応した容器は多数存在するが、高温化に伴う高圧を処理する試みは未だ知られていない。従来技術の容器を使用者が電子レンジに入れた場合、容器の壁に破断を来たし得る高温及び高圧がキャビティ内で発生するおそれがある。
【課題を解決するための手段】
【０００５】
本発明の一態様では、容器は、第１容器部と、第１容器部と接合され第１容器部との間に密閉キャビティを画定する第２容器部とを含む。密閉キャビティには冷却剤が入れられる。容器は、密閉キャビティ内の圧力を制限すべく機能し得る圧力除去装置を更に含む。
【０００６】
本発明の別の態様では、容器は、第１容器部と、第１容器部と接合され第１容器部との間に密閉キャビティを画定する第２容器部とを含む。キャビティには冷却剤が入れられる。第１容器部と第２容器部とは接合部により接合されている。接合部はキャビティ内の圧力を制限すべく機能し得る。
【０００７】
本発明の更に別の態様は、第１の壁、基部、及び第１のリムを備えた第１容器部を有する容器を含む。第２容器部は第２の壁及び第２のリムを備える。第２のリムは第１のリムと接合され両容器部間にキャビティを画定する。キャビティにはゲルが入れられる。第２の壁と一体に形成される第１隆起部は第２の壁と基部とを接合し、第１の高圧下で破断し得る。第２の壁と一体に形成される第２隆起部も第２の壁と基部とを接合し、第１の高圧より大きい第２の高圧下で破断し得る。
【発明を実施するための最良の形態】
【０００８】
図１を参照すると、容器３６には製品を入れる内部空間３７が画定されている。また、図４Ａを参照すると、容器３６は第１容器部３９及び第２容器部４２を含む。両容器部３９、４２はポリプロピレン製であるが、他の材料も適宜利用できる。第１容器部３９は第１のリム４５を含み、第２容器部４２は第２のリム４８を含む。第２のリム４８は第１のリム４５と接合され、両容器部３９、４２間に密閉キャビティ５１が画定される。両リム４５、４８は超音波溶接、スピン溶接、熱板溶接等の任意の手段、もしくは接着剤を使用して適宜接合できるが、両容器部３９、４２は振動溶接により接合するのが好ましい。この他、両容器部３９、４２が実質上密閉され、キャビティ５１が画定されるよう、両容器部３９、４２を圧入嵌合あるいは相互嵌合(interfitting)等の機械的方法（図示せず）で接合してもよい。密閉キャビティ５１内に、冷却剤（図示しない）が入れられる。第１容器部３９は第１基部５４を、第２容器部４２は第２基部５７を含む。圧力除去装置５８は、第１結合部６３及び第２結合部６６において第１基部５４と第２基部５７とを接合する、接合部６０（図２も参照）を含む。
【０００９】
キャビティ５１内には任意の冷却剤を適宜入れることができるが、冷却剤としては概ね固体構造を有する架橋ゲルが好ましい。この場合、ゲルが加熱されたとしてもゲルマトリックスは損なわれず、水蒸気のみがゲルマトリックスから逃がされる。オペレーションに当たり、まずゲルが凍結するまで容器３６を冷凍庫に入れる。その後、使用者は容器３６を冷凍庫から取り出し、内部空間３７内に製品を入れる。容器３６の内部空間３７内に入れられた食品やその他の痛み易い品物は、凍結ゲルの効果により、室温環境で約４時間〜約６時間に亘り約１０℃〜約１５．５℃の温度範囲に維持されるはずである。室温環境では、時間及び温度範囲は周囲温度の影響を受ける。ゲル組成としては、水約９８．２％と、固体を約１．８〜約２．１％有する固体ポリマーブレンドとの混合物が好適である。固体はカルボキシメチルセルロースナトリウム約８０〜８５％、安息香酸ナトリウム約１０〜１６％、及び架橋剤約４〜６％を含む。ゲルはProgressive Polymer Application社（米国ワイオミング州シェリダン市）よりUNIGELの商品名で市販されている。このゲルに、好適なゲル組成の追加成分としてパラベン（抗菌性保存料）を少量添加する。当然ながら、この他にも適当なゲル組成を使用できる。なお、容器３６は痛み易い食品のみに利用するものとは限られない。他にも様々な製品を容器３６に入れて冷却状態に維持し得る。例えば、移植手術用の人間の臓器を一時的に保管してもよい。また、化粧品、飲料、化学物質等を容器３６に入れてもよい。
【００１０】
図３は、容器３６の内容物を気密状態に密閉するのに使用できる蓋体６７を図示する。蓋体６７は、蓋体６７を取り外し易くする握りタブ６８を備える。
【００１１】
容器３６の組み立ては、次のステップを含む。ゲルの成分を室温で混合する。まだ液体状態であるときに、ゲルを第２容器部４２に流し込む。第１容器部３９を第２容器部４２の内側に配置する。これによりゲルはキャビティ５１を画定している両容器部３９、４２の壁に沿って上方へ移動する。ゲルは数時間以内に硬化し、略固体構造を呈する。その後、もしくはゲルの硬化前に接合部６０を振動溶接し、両基部５４、５７を相互に接合する。これと同時に両リム４５、４８を相互に振動溶接し、キャビティ５１を密閉する。両基部５４、５７の溶接ステップ、両リム４５、４８の溶接ステップは順次実施してもよい。
【００１２】
図４Ａ及び図４Ｂを参照すると、第１結合部６３は、第１容器部３９と一体に設けられる突起部６９を含む。突起部６９は第２容器部４２の開口部７２内に振動溶接される。開口部７２の直径は、好ましくは約１／８インチである。密閉キャビティ５１内に高圧が発生すると、第１結合部６３は破断可能である。高圧は、電子レンジに入れる等してゲル及び／又は容器３６が加熱されると発生し得る。密閉キャビティ５１内に熱が発生すると密閉キャビティ５１内が高圧化し、第１容器部３９及び第２容器部４２の各壁は互いに離反する方向へ押圧される。十分な高圧になると、第１容器部３９及び第２容器部４２の各壁は、第１結合部６３の分離（破断）を生ずるに足る力で互いに離反する方向へ押圧される。図４Ｂに示すように、分離に伴い基部５４により突起部６９が上方向に移動して基部５７から離間し、突起部６９は開口部７２から離れる。この結果、キャビティ５１は開口部７２に対し露出された状態となる。開口部７２が露出されると、加熱されたゲル（もしくは蒸気及び／又は固体の形状の加熱された冷却剤）からの蒸気をキャビティ５１から逃がすことが可能となる。これにより、容器３６の壁を破断から保護する。
【００１３】
なお、上記構成に代えて、第１容器部３９の側部７３ａと第２容器部４２の側部７３ｂ（図４Ａ参照）とを接合部６０において接合してもよい。しかし、両基部５４、５７を接合部６０において接合することが望ましい。開口部７２は第１容器部３９に設けてもよいが、容器３６の内部空間３７に入れた製品を、加熱されたゲルによる汚染から守るため、第２容器部４２に開口部を設けることが望ましい。第２結合部６６は、第１結合部６３と比べ、第１容器部３９と第２容器部４２とをより強固に接合している。このため、高圧がキャビティ５１に達した場合、第１結合部６３は破断して開口部７２を露出させるが、第２結合部６６は損なわれない。このようにして、結合部６６は、容器部３９が例えば図５に示すように反転してしまうことを防ぐ。この点について、第１結合部６３が破断してしまうと、キャビティ５１の密閉は解消され、密閉状態でないキャビティ内で第２結合部６６の破断を来たすに足る圧力が発生することは不可能となる。
【００１４】
上述したように、第１結合部６３は高圧下で破断し、密閉キャビティ５１内の圧力を制限する。しかし、結合部６３に代えて、別のパラメータ（高温等）に伴って破断することで高圧を制限する部分を設けてもよい。例えば、キャビティ５１内の冷却剤の沸点を下回る温度で溶解する部分を設けてもよい。この部分が溶解するとキャビティ５１が周囲環境に露出され、キャビティ５１内の圧力が制限される。例えば、突起部６９は、このような温度下で溶解し、開口部７２をキャビティ５１に対して露出させるよう、比較的低融点の材料で構成してもよい。あるいは、突起部６９は、このような温度下で裂けや割れを生じ、開口部７２を露出させる材料で構成してもよい。このような容器において、第２結合部６６は上述の高温では溶解・破断を来たさず、本明細書の他の実施形態と同様、図５に示すような反転を防止する。
【００１５】
図６Ａ及び図６Ｂに第２実施形態を示す。各実施形態に共通する要素は同様の参照番号で表す。第２実施形態では、第１結合部６３の代わりに、両基部５４、５７を結合する引裂溶接部７８が結合部６６に隣接して設けられている。高圧がかかると、基部５４が基部５７から離れ、この際に基部５４は基部５４に（溶接部７８で）溶接された基部５７の一部を引き剥がし、開口部８４を形成する（図６Ｂ参照）。この新たに作られた開口部８４によりキャビティ５１が露出され、キャビティ５１内での不都合な圧力の発生を防止する。既述の如く、容器３６の組み立ては、ゲルがまだ注入可能な液体状態であるときに、ゲルを容器部４２に第一に流し込むステップを含む。図４Ａ及び図４Ｂに示す第１実施形態では、液体ゲルを容器部４２に注入する際に、第２容器部４２の開口部７２からゲルが溢れたり漏れたりする場合があった。図６Ａ及び図６Ｂの実施形態では、引裂溶接部７８を設けることで、容器部４２に（開口部７２のような）開口部を事前に設ける必要がなくなり、このような問題は解決されている。なお、溶接部７８により、基部５７に１つの開口部８４が形成される代わりに数個の小孔や小さな開口（図示せず）が形成される構成も可能である。
【００１６】
図７に第３実施形態を示す。本実施形態では、接合部６０の代わりに、薄肉の壁部８７を（好適には）第２容器部４２の基部５７に設けている。キャビティ５１内の高圧が壁部８７にかかると、壁部８７は破断する。本実施形態及び以下に説明する諸実施形態において、結合部６６と同様の結合部（図示せず）は壁部８７付近に設けることができる。
【００１７】
図８に第４実施形態を示す。本実施形態では、接合部６０の代わりに、キャビティ５１内の高圧化に伴って開放され、キャビティ５１内の圧力を制限する弁９０を設けている。
【００１８】
図９に第５実施形態を示す。本実施形態では、接合部６０の代わりに、一定レベル以上の圧力上昇を防止する小孔９３を、容器部３９もしくは容器部４２（好適には容器部４２の基部５７）に設けている。汚染物質がキャビティ５１に侵入しないよう、ゴム製もしくは他の適当な材料からなる弾力性のあるプラグ（図示せず）を開口部９３内に設けてもよい。このようなプラグはキャビティ５１内の高圧化に伴って開口部から外れる。
【００１９】
図１０に第６実施形態を示す。本実施形態は、容器３６とは形状を異にする、圧力除去装置を組み込んだ正方形の容器９６である。内部空間３７に入れた製品を密閉すべく適切な寸法の蓋体（図示せず）を容器に取り付けてもよい。図１０に示す容器９６から自明であるように、図４Ａ、図４Ｂ、図６乃至図９のいずれかに示す圧力除去装置を組み込んだ容器の形状及び寸法は種々に変更可能である。
【００２０】
以上の説明より本発明の数々の変更例が当業者には自明である。従って、本明細書の説明はあくまで一例であり、当業者による本発明の実施・利用を可能とし、本発明を実施する際の最良の形態を提示する目的で示される。添付の請求の範囲内のあらゆる変更例に対する限定的な権利は本発明に帰属する。
【図面の簡単な説明】
【００２１】
【図１】本発明の容器の、上方から見た等角図である。
【図２】図１の容器の底面図である。
【図３】図１の容器と共に使用される蓋体の、上方から見た等角図である。
【図４Ａ】図２の断面線４Ａ−４Ａに概ね沿った断面図である。
【図４Ｂ】第１結合部の破断を図示する、図４Ａと同様の断面図である。
【図５】第２結合部を設けていない容器の正面図である。
【図６Ａ】圧力除去装置としての引裂溶接部を図示する、第２実施形態の容器の図４Ａと同様の断面図である。
【図６Ｂ】図６Ａの容器の引裂溶接部の破断を図示する、図４Ａと同様の断面図である。
【図７】圧力除去装置としての薄肉の壁部を図示する、第３実施形態の容器の図４Ａと同様の拡大断面図である。
【図８】圧力除去装置としての弁を図示する、第４実施形態の容器の図４Ａと同様の拡大断面図である。
【図９】圧力除去装置としての開口部を図示する、第５実施形態の全体を示す拡大断面図である。
【図１０】別の形状を示す第６実施形態の容器の、上方から見た等角図である。
【図１】
2005524046.tif 000003
【図２】
2005524046.tif 000004
【図３】
2005524046.tif 000005
2005524046.tif 000006
2005524046.tif 000007
【図５】
2005524046.tif 000008
2005524046.tif 000009
2005524046.tif 000010
【図７】
2005524046.tif 000011
【図８】
2005524046.tif 000012
【図９】
2005524046.tif 000013
【図１０】
2005524046.tif 000014
【手続補正書】
【提出日】平成16年3月17日(2004.3.17)
【手続補正１】
【補正対象書類名】特許請求の範囲
【補正対象項目名】全文
【補正方法】変更
【補正の内容】
【特許請求の範囲】
【請求項１】
第１容器部（３９）と、
前記第１容器部と接合され前記第１容器部との間に密閉キャビティ（５１）を画定する第２容器部（４２）と、
前記キャビティに入れられる冷却剤と、
前記密閉キャビティ内の高圧を周囲環境に解放すべく機能し得る圧力除去装置（５８）と、を含み、
前記圧力除去装置（５８）は、前記第１容器部（３９）に設けられる突起部（６９）と、前記第２容器部（４２）に設けられる開口部（７２）であって、前記突起部が前記開口部の内側に配置された状態で前記第１容器部によって被覆される開口部（７２）と、を含み、前記両容器部は高圧化に伴い互いに離反する方向へ押圧され、この結果、前記突起部は前記開口部から離れ、前記キャビティは前記開口部に対し露出されることを特徴とする、
容器（３６）。
【請求項２】
前記圧力除去装置（５８）は、前記第１容器部（３９）と前記第２容器部（４２）とを接合し且つ高圧下で破断し得る接合部（６０）を含む請求項１に記載の容器。
【請求項３】
前記接合部（６０）は、第１の圧力で破断する第１結合部（６３）と、前記第１の圧力よりも大きい第２の圧力で破断する第２結合部（６６）とを含む請求項２に記載の容器。
【請求項４】
前記接合部（６０）は前記密閉キャビティ（５１）内の高温化に伴って破断して前記キャビティ内の圧力を制限する請求項２又は３に記載の容器。
【請求項５】
前記破断は前記高温に起因する機械的応力により発生する請求項４に記載の容器。
【請求項６】
前記機械的応力は前記接合部（６０）のクラックの発生を含む請求項５に記載の容器。
【請求項７】
破断は前記高温に起因する前記接合部（６０）の溶解により発生する請求項４に記載の容器。
【請求項８】
前記高温は第１の高温を含み、前記接合部（６０）は前記第１の高温で破断する第１結合部（６３）を含み、前記接合部は、前記第１の高温より高い第２の高温で破断し得る第２結合部（６６）を更に含む請求項４に記載の容器。
【請求項９】
前記冷却剤は架橋ゲルを含む請求項１、２又は３に記載の容器。
【請求項１０】
前記ゲルはカルボキシメチルセルロースを含む請求項９に記載の容器。
【請求項１１】
前記ゲルは保存料を含む請求項１０に記載の容器。
【請求項１２】
前記容器は室温に置かれ、また前記容器はその中に入れられた品物を一定時間に亘り室温より低い温度範囲に維持する請求項１、２又は３に記載の容器。
【請求項１３】
前記温度範囲は約１０℃〜約１５．５℃であり、前記一定時間は約４時間〜約６時間である請求項１２に記載の容器。
【請求項１４】
前記第１容器部（３９）は第１基部（５４）及び第１のリム（４５）を含み、前記第２容器部（４２）は第２の基部（５７）及び第２のリム（４８）を含み、前記第２のリムは前記第１のリムに接合されており、
前記第２の基部は、前記第１の基部に接合された、第１の高圧下で破断し得る第１隆起部と、前記第１の基部に接合された、前記第１の高圧より大きい第２の高圧下で破断し得る第２の隆起部と、を更に含む、
請求項１に記載の容器。
【請求項１５】
前記冷却剤はカルボキシメチルセルロース架橋ゲルを含む請求項１４に記載の容器。
【請求項１６】
第１容器部（３９）と、
前記第１容器部と接合され前記第１容器部との間に密閉キャビティ（５１）を画定する第２容器部（４２）と、
前記キャビティに入れられる冷却剤と、
前記密閉キャビティ内の高圧を周囲環境に解放すべく機能し得る圧力除去装置（５８）と、を含み、
前記圧力除去装置（５８）は前記両容器部（３９、４２）の一方に設けられ、高圧化に伴って破断する壁部（８７）を含むことを特徴とする、
容器（３６）。
【請求項１７】
前記壁部（８７）は薄肉の壁部を含む請求項１６に記載の容器。
【請求項１８】
前記冷却剤は架橋ゲルを含む請求項１６に記載の容器。
【請求項１９】
前記ゲルはカルボキシメチルセルロースを含む請求項１８に記載の容器。
【請求項２０】
第１容器部（３９）と、
溶接等により前記第１容器部と接合され前記第１容器部との間に密閉キャビティ（５１）を画定する第２容器部（４２）と、
前記キャビティに入れられる冷却剤と、
前記密閉キャビティ内の高圧を周囲環境に解放すべく機能し得る圧力除去装置（５８）と、を含み、
前記圧力除去装置（５８）は妨害物のない開口部（９３）を前記両容器部（３９、４２）の一方に含むことを特徴とする、
容器（３６）。
【請求項２１】
前記冷却剤は架橋ゲルを含む請求項２０に記載の容器。
【請求項２２】
前記ゲルはカルボキシメチルセルロースを含む請求項２１に記載の容器。
【請求項２３】
前記第２容器部（４２）は前記第１容器部（３９）を囲むように配置され、前記妨害物のない開口部（９３）は前記第２容器部（４２）に設けられる請求項２０に記載の容器。
【手続補正２】
【補正対象書類名】明細書
【補正対象項目名】０００４
【補正方法】変更
【補正の内容】
【０００４】
従来、凍結時の冷凍液の膨張に起因するキャビティ内の高圧化に対応した容器は多数存在するが、高温化に伴う高圧を処理する試みは殆ど知られていない。従来技術の容器を使用者が誤って電子レンジに入れた場合、容器の壁に破断を来たし得る高温及び高圧がキャビティ内で発生する可能性がある。
米国特許第4,782,670号に、壁を二重にした飲料容器が開示されている。二重の壁により画定されるキャビティ内に冷却ゲルもしくは加温ゲルが入れられる。容器の外側壁は、取り外し可能なプラグを配置した開口部を備える。キャビティ内の圧力が上昇するとプラグは開口部から外れる。


【国際調査報告】
2005524046.tif 000015
2005524046.tif 000016
2005524046.tif 000017